(57)【要約】      （修正有）【課題】花筒の上端開口より木の葉や埃等が混入して花筒内の水が腐敗し悪臭を放ったりして非衛生的になること及び花筒が蚊の大量発生の温床になることを抑制できると共に、水入れとしても使用可能な水入れ兼花筒用蓋体およびそれを備えた花筒を提供する。【解決手段】水入れ兼花筒用蓋体１は、ステンレス製花筒本体部１１の上端開口縁部１２に当接する内底面２を有したステンレス製有底筒状体であって一体成形されている。また、花筒１０は、有底筒状本体部１４と、ステンレス製花筒本体部１１の上端開口１３に被嵌されると共にステンレス製花筒本体部１１の上端開口縁部１２に当接する内底面２を有したステンレス製有底筒状体であって一体成形された水入れ兼花筒用蓋体１とを有している。【選択図】図５
0003184981.tif 000002
【実用新案登録請求の範囲】
【請求項１】
ステンレス製花筒本体部の上端開口縁部に当接する内底面を有した有底筒状体であってステンレスにて一体成形されていることを特徴とする水入れ兼花筒用蓋体。
【請求項２】
前記水入れ兼花筒用蓋体の外表面には氏または家紋が設けられている請求項１に記載の水入れ兼花筒用蓋体。
【請求項３】
有底筒状本体部と、該有底筒状本体部の上部に設けられ上端開口に向かって拡径したテーパー状拡径筒状部と、前記有底筒状本体部と前記テーパー状拡径筒状部との間の外周面に設けられたフランジ部とを備えたステンレス製花筒本体部と、該ステンレス製花筒本体部の前記上端開口に被嵌されると共に前記ステンレス製花筒本体部の上端開口縁部に当接する内底面を有した有底筒状体であってステンレスにて一体成形された水入れ兼花筒用蓋体とを有することを特徴とする花筒。
【請求項４】
前記水入れ兼花筒用蓋体の外表面には氏または家紋が設けられている請求項３に記載の花筒。
【考案の詳細な説明】
【技術分野】
【０００１】
本考案は、墓石の花入れに設けられた挿入穴に挿嵌等して使用される花筒の上端開口部に被嵌可能な水入れ兼花筒用蓋体およびそれを備えた花筒に関するものである。
【背景技術】
【０００２】
従来より、墓石の花入れに設けられた挿入穴に挿嵌して使用される花筒として、図７に示すようなステンレス製花筒が多用されている（特開２００４−３２９４１０号公報）。この花筒８０は、有底筒状本体部８１と、有底筒状本体部８１の上部に設けられ上端開口８２に向かって拡径したテーパー状拡径筒状部８３と、有底筒状本体部８１とテーパー状拡径筒状部８３との間の外周面に設けられ、墓石の花入れに設けられた挿入穴の周縁部に係止されるフランジ部８４とを有している。 
【０００３】
しかし、この花筒８０は上端開口８２が開放されているため、木の葉や埃等が混入して花筒８０内の水が腐敗し悪臭を放ったりして非衛生的であった。また、花筒８０内に溜まった水に蚊が卵を産み付けてボウフラが発生し蚊の大量発生の温床になっていた。
他方、墓石には水を供えるための水入れ用凹部を形成したり、別個独立した水入れを配置していた。
【先行技術文献】
【特許文献】
【０００４】
【特許文献１】特開２００４−３２９４１０号公報
【考案の概要】
【考案が解決しようとする課題】
【０００５】
そこで、本考案の課題は、花筒の上端開口より木の葉や埃等が混入して花筒内の水が腐敗し悪臭を放ったりして非衛生的になることおよび花筒が蚊の大量発生の温床になることを抑制できると共に、水入れとしても使用可能な水入れ兼花筒用蓋体およびそれを備えた花筒を提供することにある。
【課題を解決するための手段】
【０００６】
上記課題を解決するものは、ステンレス製花筒本体部の上端開口縁部に当接する内底面を有した有底筒状体であってステンレスにて一体成形されていることを特徴とする水入れ兼花筒用蓋体である。前記水入れ兼花筒用蓋体の外表面には氏または家紋が設けられていてもよい。
【０００７】
また、上記課題を解決するものは、有底筒状本体部と、該有底筒状本体部の上部に設けられ上端開口に向かって拡径したテーパー状拡径筒状部と、前記有底筒状本体部と前記テーパー状拡径筒状部との間の外周面に設けられたフランジ部とを備えたステンレス製花筒本体部と、該ステンレス製花筒本体部の前記上端開口に被嵌されると共に前記ステンレス製花筒本体部の上端開口縁部に当接する内底面を有した有底筒状体であってステンレスにて一体成形された水入れ兼花筒用蓋体とを有することを特徴とする花筒である。前記水入れ兼花筒用蓋体の外表面には氏または家紋が設けられていてもよい。
【考案の効果】
【０００８】
請求項１に記載した水入れ兼花筒用蓋体によれば、花筒の上端開口より木の葉や埃等が混入して花筒内の水が腐敗し悪臭を放ったりして非衛生的になることおよび花筒が蚊の大量発生の温床になることを抑制できると共に、水入れとしても使用できる。
請求項２に記載した水入れ兼花筒用蓋体によれば、上記請求項１の効果に加え、水入れ兼花筒用蓋体やステンレス製花筒本体部の盗難をより防止できる。
請求項３に記載した花筒によれば、花筒の上端開口より木の葉や埃等が混入して花筒内の水が腐敗し悪臭を放ったりして非衛生的になることおよび花筒が蚊の大量発生の温床になることを抑制できると共に、水入れ兼花筒用蓋体を水入れとしても使用できる。
請求項４に記載した花筒によれば、上記請求項３の効果に加え、水入れ兼花筒用蓋体やステンレス製花筒本体部の盗難をより防止できる。
【図面の簡単な説明】
【０００９】
【図１】本考案の水入れ兼花筒用蓋体の一実施例の斜視図である。
【図２】図１に示した水入れ兼花筒用蓋体の縦断面図である。
【図３】図１に示した水入れ兼花筒用蓋体の作用を説明するための斜視図である。
【図４】本考案の花筒の一実施例の正面図である。
【図５】図５に示した花筒の縦断面図である。
【図６】本考案の水入れ兼花筒用蓋体の他の実施例の斜視図である。
【図７】従来の花筒の斜視図である。
【考案を実施するための形態】
【００１０】
本考案では、ステンレス製花筒本体部１１の上端開口縁部１２に当接する内底面２を有した有底筒状体であってステンレスにて一体成形された水入れ兼花筒用蓋体１によって花筒１０の上端開口１３が被覆されるように装着されることで、花筒の上端開口より木の葉や埃等が混入して花筒内の水が腐敗し悪臭を放ったりして非衛生的になることおよび花筒が蚊の大量発生の温床になることを抑制できると共に、水入れとしても使用できる水入れ兼花筒用蓋体１およびそれを備えた花筒１０を実現した。
【実施例１】
【００１１】
本考案の水入れ兼花筒用蓋体を図１ないし図５に示した一実施例を用いて説明する。
この実施例の水入れ兼花筒用蓋体１は、図５に示すように、ステンレス製花筒本体部１１の上端開口縁部１２に当接する内底面２を有した有底筒状体であってステンレスにて一体成形されている。以下、各構成について順次詳述する。
【００１２】
花筒１０のステンレス製花筒本体部１１の上端開口縁部１２は平面視円形に形成されており、水入れ兼花筒用蓋体１の底部４は上端開口縁部１２の外径より若干大きい内径を有した円形に形成されている。そして、水入れ兼花筒用蓋体１を、図３（ａ），（ｂ）に示すように、上方よりステンレス製花筒本体部１１に被嵌すると、図５に示すように、上端開口縁部１２と内底面２とが当接してステンレス製花筒本体部１１内の液密性が保持される状態となる。このため、雨水、木の葉や埃等が上端開口１３より侵入せず、花筒１０内の水が腐敗し悪臭を放ったり非衛生的になることおよび花筒１０が蚊の大量発生の温床になることを抑制できる。
【００１３】
水入れ兼花筒用蓋体１の底部４の外面側中央付近には、図１または図２に示すように、高台３が設けられており、この高台３を下側にして配置すると、水入れとしても使用することができる。ただし、本考案の水入れ兼花筒用蓋体は底部に高台を有するものに限定されず、高台を有しないものも本考案の範疇に包含される。
【００１４】
図２に示すように、水入れ兼花筒用蓋体１の底部４の外周に沿って垂直方向に円環状の側壁部５が設けられており、水入れ兼花筒用蓋体１をステンレス製花筒本体部１１に被嵌すると、図４に示すように、この側壁部５がステンレス製花筒本体部１１のテーパー状拡径筒状部１５の周囲を取り囲んでほぼ被覆するように構成されている。
【００１５】
このような有底筒状体（有底円筒体）に構成された水入れ兼花筒用蓋体１は、ステンレス製花筒本体部１１と同様のステンレスにて一体成形されており、風雨に晒されても錆びない防錆性を備えている。
【００１６】
つぎに、水入れ兼花筒用蓋体１を備えた本考案の花筒１０について説明する。
この実施例の花筒１０は、図５に示すように、有底筒状本体部１４と、有底筒状本体部１４の上部に設けられ上端開口１３に向かって拡径したテーパー状拡径筒状部１５と、有底筒状本体部１４とテーパー状拡径筒状部１５との間の外周面に設けられたフランジ部１６とを備えたステンレス製花筒本体部１１と、ステンレス製花筒本体部１１の上端開口１３に被嵌されると共にステンレス製花筒本体部１１の上端開口縁部１２に当接する内底面２を有した有底筒状体であってステンレスにて一体成形された水入れ兼花筒用蓋体１とを有している。以下、各構成について順次詳述するが、水入れ兼花筒用蓋体１については前述した通りであり説明を省略する。
【００１７】
有底筒状本体部１４は、内部に花の茎を収容し水を貯留する部位であり有底円筒体に構成されている。テーパー状拡径筒状部１５は  有底筒状本体部１４の上部に設けられ上端開口１３を備え花の茎や水を挿入する部位として機能する。フランジ部１６は、有底筒状本体部１４とテーパー状拡径筒状部１５との間の外周面に設けられ、墓石に設けられた花入れ等の挿入穴に花筒１０が挿入された際、その底面部が挿入穴を形成する周縁部に載置され係止されるための部位として機能する。そして、花筒１０は、これら有底筒状本体部１４、テーパー状拡径筒状部１５およびフランジ部１６とが一体成形されたステンレス製花筒本体部１１と水入れ兼花筒用蓋体１とから構成されている。
【００１８】
さらに、図６に示した本考案の他の実施例の水入れ兼花筒用蓋体２０と水入れ兼花筒用蓋体３０について順次説明する。
図６（ａ）に示した水入れ兼花筒用蓋体２０と前述した水入れ兼花筒用蓋体１との相違は、水入れ兼花筒用蓋体２０の外表面に氏が設けられている点と底部が高台を有しない点のみであり他は同じである。水入れ兼花筒用蓋体１と同一構成部分については同一符号を付し説明を省略する。
【００１９】
具体的には、この実施例の水入れ兼花筒用蓋体２０は、側壁部５に氏（田中家）２１が刻設または浮き出しによって記入されている。これにより、水入れ兼花筒用蓋体やステンレス製花筒本体部の盗難をより防止できる。
【００２０】
また、  図６（ｂ）に示した水入れ兼花筒用蓋体３０と前述した水入れ兼花筒用蓋体２０との相違は、水入れ兼花筒用蓋体３０の外表面に設けられたものが氏ではなく、家紋である点のみである。水入れ兼花筒用蓋体２０と同一構成部分については同一符号を付し説明を省略する。
【００２１】
具体的には、この実施例の水入れ兼花筒用蓋体３０は、側壁部５に家紋３１が刻設または浮き出しによって記入されている。このような家紋によっても、水入れ兼花筒用蓋体やステンレス製花筒本体部の盗難をより防止できる。
【００２２】
つぎに、本考案の水入れ兼花筒用蓋体１とそれを備えた花筒１０の使用例について説明する。
この実施例の花筒１０は墓に設けられた石製花入れの挿入穴内に挿嵌されて使用される。すなわち、水入れ兼花筒用蓋体１を外した状態で花筒１０内に花の茎部と水を入れてお墓に花を供える。この時、ステンレス製花筒本体部１１から外された水入れ兼花筒用蓋体１は、図１または図２に示すように上方が開口する状態に配置し内部に水を入れて水入れとして使用する。他方、花を供えない場合は、花や内部の水を取り除き、図５に示した水入れ兼花筒用蓋体１をステンレス製花筒本体部１１の上部に被嵌した状態とする。この状態では、花筒１０の上端開口１３より木の葉や埃等が混入することがなく花筒内に水も溜まらないため、水が腐敗し悪臭を放ったりして非衛生的になることおよび花筒が蚊の大量発生の温床になることを抑制できる。
【符号の説明】
【００２３】
１              水入れ兼花筒用蓋体
２              内底面
３              高台
４              底部
５              側壁部
１０            花筒
１１            ステンレス製花筒本体部
１２            上端開口縁部
１３            上端開口
１４            有底筒状本体部
１５            テーパー状拡径筒状部
１６            フランジ部
【図１】
0003184981.tif 000003
【図２】
0003184981.tif 000004
【図３】
0003184981.tif 000005
【図４】
0003184981.tif 000006
【図５】
0003184981.tif 000007
【図６】
0003184981.tif 000008
【図７】
0003184981.tif 000009